(57)【特許請求の範囲】
【請求項１】
撮像手段を備えた内視鏡を接続可能とし、当該内視鏡からの撮像画像情報を入力すると共に、前記撮像手段において撮像した内視鏡画像に係る内視鏡映像信号を再生又は記録する複数の映像装置を接続可能とする内視鏡映像処理装置において、
接続された内視鏡からの撮像画像情報を入力し、前記撮像手段において撮像した内視鏡画像に対応する内視鏡映像信号を生成する映像信号処理回路と、
前記撮像手段において撮像した内視鏡画像に関連する患者データ情報を入力する患者データ情報入力手段と、
前記映像信号処理回路において生成された後分岐された複数の前記内視鏡映像信号のそれぞれに対して前記患者データ情報入力手段において入力した所定の患者データ情報を重畳する、複数の患者データ重畳手段と、
前記複数の患者データ重畳手段それぞれに対応して設けられ、少なくとも前記映像信号処理回路において生成された前記内視鏡映像信号を含む所定の映像信号を、接続された前記複数の映像装置に対してそれぞれ出力する複数の映像出力端と、
前記患者データ情報入力手段において入力した所定の患者データ情報のうち前記重畳に供する任意の患者データ情報を、前記複数の患者データ重畳手段毎に個別に選択して制御可能とする重畳情報表示選択手段と、
を具備したことを特徴とする内視鏡映像処理装置。
【発明の詳細な説明】
【０００１】
【発明の属する技術分野】
本発明は、映像表示機器若しくは映像記録機器に出力される内視鏡画像において、患者データなどの情報表示の有無を選択できるようにした内視鏡映像処理装置に関する。
【０００２】
【従来の技術】
近年、内視鏡は医療用分野及び工業用分野での内視鏡検査等に広く用いられるようになった。この内視鏡には撮像素子を備えた電子内視鏡があり、この電子内視鏡の場合には内視鏡映像処理装置に接続し、撮像素子で撮像した信号に対し、映像信号を生成する処理を行い、モニタ装置に映像信号を出力し、この映像信号に対応する内視鏡画像を表示する。
【０００３】
図４は従来の内視鏡映像処理装置８１の構成を示す。
図４において、内視鏡先端に配置された図示しないＣＣＤからの信号は映像信号処理回路８２により、内視鏡映像信号８３が得られ、バッファ回路８４を経てスーパインポーズ回路８５に入力される。
【０００４】
また、この内視鏡映像処理装置８１内にはＣＰＵ８６が設けられ、このＣＰＵ８６が行う制御動作のプログラムなどの情報が格納されたＲＯＭ８７、作業エリアなどに使用されるＲＡＭ８８、キャラクタ発生用ＲＯＭ８９等とバス９０で接続されている。
【０００５】
上記キャラクタ発生用ＲＯＭ８９から読み出されたキャラクタはエンコーダ９１を介して文字信号Ｌｅｔｔｅｒ９２となり、スーパインポーズ回路８５に入力されるようになっている。
【０００６】
また、このＣＰＵ８６には図示しないカードリーダや、キーボード、タッチパネル等より患者のデータなどがデータ入力部９３（パラレルＩＯ／シリアルＩＯ等からの入力部）よりバス９０を介して入力される。
【０００７】
また、表示選択入力部９４より名前などの情報の表示、非表示情報が入力され、その指示によって、ＣＰＵ８６はキャラクタ発生用ＲＯＭ８９を制御し、スーパーインポーズ回路８５にどのようなデータを重畳するかを決定する。
【０００８】
スーパーインポーズ回路８５は、文字信号Ｌｅｔｔｅｒ９２の信号の有り無しにより文字用基準電圧発生回路９５の文字用基準電圧を用い、内視鏡映像信号８３に文字信号Ｌｅｔｔｅｒ９２を重畳し、その映像信号をバッファ回路９６を介して映像出力端９７Ａ，９７Ｂ，９７Ｃに分配し、外部の装置に出力する。
このように、従来技術においては、映像出力端９７Ａ，９７Ｂ，９７Ｃから出力される映像信号が全てが同じとなっていた。
【０００９】
【発明が解決しようとする課題】
上記従来例では、例えば、映像出力端９７Ａ，９７Ｂ，９７Ｃにそれぞれ観察モニタ、写真撮影装置、ビデオプリンタを接続し、ユーザが写真を学会などで使用するために、患者に関するデータをすべて消去したとすると、本来ならば、患者データを消去したいのは、写真撮影装置のみであるのに対し、観察モニタ、ビデオプリンタも同様に患者データが消された映像を得ることになってしまっていた。
【００１０】
より具体的に説明すると、例えば学会などに発表したい写真は、患者のプライバシ保護のため名前などは削除して写真撮影するといった必要性のため、患者データを削除した状態の映像信号を各映像装置に出力する。その映像信号は全ての映像装置に共通であり、例えば、観察画像においても、患者のデータが削除されてしまった映像が表示され、実検査中に必要な情報が消えた状況になってしまっている。
【００１１】
このため、上記の具体例では写真撮影装置のみには内視鏡画像のみが表示されて、患者データは表示されないのが望ましく、この場合に観察モニタなどでは内視鏡画像と共に患者データも表示されることが望ましい。
【００１２】
この他に従来技術として、特公平３−７８６３３号公報に表示制御装置が開示されている。この従来技術では、複数の表示装置に共通に使用されるリフレッシュメモリに格納された表示データをキャラクタジェネレータで画面表示に対応した表示データに変換して出力する表示制御装置において、表示禁止ビット設定メモリを設け、このメモリに表示禁止ビットが設定されているものに対応する表示データでは表示を禁止するようにして、複数の表示装置に表示される表示内容を異なるもので表示できるようにしている。
【００１３】
しかし、この従来技術では、文字の表示をある表示装置では全部表示し、他の表示装置ではその一部のみを表示することを目的としたものであり、内視鏡画像と文字情報との場合での選択的な表示にそのまま利用できない。
【００１４】
（発明の目的）
本発明は、上述した点に鑑みてなされたもので、映像出力端に接続される複数の映像機器に対して内視鏡画像と文字情報との重畳表示内容を異なるようにできる内視鏡映像処理装置を提供することを目的とする。
【００１５】
【課題を解決するための手段】
本発明の内視鏡映像処理装置は、撮像手段を備えた内視鏡を接続可能とし、当該内視鏡からの撮像画像情報を入力すると共に、前記撮像手段において撮像した内視鏡画像に係る内視鏡映像信号を再生又は記録する複数の映像装置を接続可能とする内視鏡映像処理装置において、接続された内視鏡からの撮像画像情報を入力し、前記撮像手段において撮像した内視鏡画像に対応する内視鏡映像信号を生成する映像信号処理回路と、前記撮像手段において撮像した内視鏡画像に関連する患者データ情報を入力する患者データ情報入力手段と、前記映像信号処理回路において生成された後分岐された複数の前記内視鏡映像信号のそれぞれに対して前記患者データ情報入力手段において入力した所定の患者データ情報を重畳する、複数の患者データ重畳手段と、前記複数の患者データ重畳手段それぞれに対応して設けられ、少なくとも前記映像信号処理回路において生成された前記内視鏡映像信号を含む所定の映像信号を、接続された前記複数の映像装置に対してそれぞれ出力する複数の映像出力端と、前記患者データ情報入力手段において入力した所定の患者データ情報のうち前記重畳に供する任意の患者データ情報を、前記複数の患者データ重畳手段毎に個別に選択して制御可能とする重畳情報表示選択手段と、を具備したことを特徴とする。
【００１６】
【発明の実施の形態】
以下、図面を参照して本発明の実施の形態を説明する。
（第１の実施の形態）
図１は本発明の第１の実施の形態の内視鏡映像処理装置を備えた内視鏡装置の構成を示す。
図１に示す内視鏡装置１では内視鏡映像処理装置２はその入力端に内視鏡３が接続され、その複数の映像出力端、例えば３つの映像出力端４Ａ，４Ｂ，４Ｃには映像装置として、例えば内視鏡画像を表示するための観察モニタ５Ａ，内視鏡画像を写真撮影するための写真撮影装置５Ｂ，内視鏡画像のハードコピーを得るためのビデオプリンタ５Ｃがそれぞれ接続される。
【００１７】
内視鏡３は体腔内に挿入される細長の挿入部６を有し、挿入部６の先端には対物レンズ７及びその結像位置に配置した撮像素子、具体的には例えば電荷結合素子（ＣＣＤと略記）８が設けてある。そして、図示しない光源装置から供給された照明光をライトガイド９で伝送してその先端面から出射し、体腔内の患部等の被写体を照明する。
【００１８】
照明された被写体は対物レンズ７によりＣＣＤ８に結像され、光電変換される。そして、内視鏡映像処理装置２内のＣＣＤドライバ１１からの駆動信号の印加により、読み出され、内視鏡映像処理装置２内の映像信号処理回路１２に入力され、映像信号生成の信号処理が行われ、内視鏡画像に対応した内視鏡映像信号（例えば複合映像信号）１３が生成され、この内視鏡映像信号１３はバッファ回路１４を介して３つのスーパインポーズ回路１５Ａ，１５Ｂ，１５Ｃに入力される。
【００１９】
スーパインポーズ回路１５Ａ，１５Ｂ，１５Ｃを経た信号はそれぞれバッファ回路１６Ａ，１６Ｂ，１６Ｃを経て映像信号１７Ａ，１７Ｂ，１７Ｃとなり、映像出力端４Ａ，４Ｂ，４Ｃからそれぞれ出力される。
【００２０】
また、この内視鏡映像処理装置２内にはＣＰＵ２１が設けられ、このＣＰＵ２１が行う制御動作のプログラムなどの情報が格納されたＲＯＭ２２、作業エリアなどに使用されるＲＡＭ２３、キャラクタ発生用ＲＯＭ２４Ａ，２４Ｂ，２４Ｃとバス２５で接続されている。
【００２１】
また、キャラクタ発生用ＲＯＭ２４Ａ，２４Ｂ，２４Ｃの出力端にはそれぞれエンコーダ２６Ａ，２６Ｂ，２６Ｃが接続され、各キャラクタ発生用ＲＯＭ２４Ａ，２４Ｂ，２４Ｃから読み出されたキャラクタ情報がエンコードされて文字信号Ｌｅｔｔｅｒ２７Ａ，２７Ｂ，２７Ｃとなり、それぞれスーパインポーズ回路１５Ａ，１５Ｂ，１５Ｃに入力される  。
【００２２】
また、スーパインポーズ回路１５Ａ，１５Ｂ，１５Ｃには文字用基準電圧発生回路２８からの文字用基準電圧が印加され、文字信号Ｌｅｔｔｅｒ２７Ａ，２７Ｂ，２７Ｃの有無によりこの文字用基準電圧が使用される。
【００２３】
また、このＣＰＵ２１には図示しないカードリーダや、キーボード、タッチパネル等より患者データなどがデータ入力部２９（パラレルＩＯ／シリアルＩＯ等の入力部）よりバス２５を介して入力される。
【００２４】
また、表示選択入力部３０からの表示選択指示の情報が入力され、その指示によって、ＣＰＵ２１はデータ入力部２９によるデータをキャラクタ発生回路２４Ｉ（Ｉ＝Ａ，Ｂ，Ｃ）及びこのキャラクタ発生回路２４Ｉに接続されたエンコーダ２６Ｉを介してスーパインポーズ回路１５Ｉに出力する。
【００２５】
このように構成された第１の実施の形態の作用を以下に説明する。
例えば、図１に示すように映像出力端４Ａ、４Ｂ、４Ｃにそれぞれ観察モニタ５Ａ、写真撮影装置５Ｂ、ビデオプリンタ５Ｃを接続し、ユーザが観察モニタ５Ａには全ての患者等のデータを表示したい場合は、データ入力部２９から入力された全ての患者情報の表示を選択するように表示選択入力部３０から表示選択の入力を行う。
【００２６】
するとＣＰＵ２１は観察モニタ５Ａが接続された映像出力端４Ａに映像信号１７Ａを（バッファ回路１６Ａを介して）出力するスーパインポーズ回路１５Ａにエンコーダ２６Ａを介して接続されたキャラクタ発生用ＲＯＭ２４Ａからのキャラクタデータを上記表示選択の指示に応じて制御し、エンコーダ２６Ａによって符号化して表示したい部分のタイミングで文字信号Ｌｅｔｔｅｒ２７Ａを発生させ、スーパインポーズ回路１５Ａを制御し、文字用基準電圧よりの文字が内視鏡映像信号１３に重畳されて映像信号１７Ａとなり、映像出力端４Ａから観察モニタ５Ａに出力される。
【００２７】
また、写真撮影装置５Ｂには患者の名前だけを削除して写真撮影したい場合には、データ入力部２９から入力された患者データにおける名前部分を除く患者情報の表示を選択するように表示選択入力部３０から表示選択の入力を行う。
【００２８】
すると、これに対応した処理をＣＰＵ２１は行い、患者の名前部分が無い文字信号Ｌｅｔｔｅｒ２７Ｂを発生して、スーパインポーズ回路１５Ｂを介して、内視鏡映像信号１３に重畳されて映像信号１７Ｂとなり、映像出力端４Ｂから写真撮影装置５Ｂに出力される。
【００２９】
映像出力端４Ｃに接続されたビデオプリンタ５Ｃ対しても表示選択入力部３０での表示選択に対応した映像信号１７Ｃが同様に出力できる。
【００３０】
このような作用をするので、映像出力端４Ａ，４Ｂ，４Ｃにそれぞれ接続された映像機器に対し、各映像機器個別的にユーザが望むように患者情報を全て表示させたり、患者情報の名前部分のみを削除した患者情報の表示等一部の患者情報のみを内視鏡画像に重畳して表示させたり、患者情報を全く表示させないで内視鏡画像のみを表示させること等ができる。
【００３１】
具体的には例えば観察モニタ５Ａ、ビデオプリンタ５Ｃには、すべての患者情報を表示し、かつ、写真撮影装置５Ｂには、患者の名前を削除した映像を得ることもできる。つまり、複数の映像出力端にそれぞれ接続される映像機器に望まれる映像表示に応じた映像信号をそれぞれ出力できる。
【００３２】
（第２の実施の形態）
次に図２を参照して本発明の第２の実施の形態を説明する。第１の実施の形態では複数の映像出力端４Ａ，４Ｂ，４Ｃからそれぞれ出力される映像信号１７Ａ，１７Ｂ，１７Ｃは、内視鏡映像信号１３に患者情報の重畳を個別に選択できるようにしたものであるのに対し、本実施の形態では複数の映像出力端をグループ分けして、グループ毎に患者情報の重畳を選択できるようにしたものである。  図２に示す内視鏡装置１′は、図１の内視鏡装置１において、内視鏡映像処理装置２と一部が異なる構成の内視鏡映像処理装置２′を備えている。
【００３３】
この内視鏡映像処理装置２′は図２において、バス２５には２つのキャラクタ発生用ＲＯＭ２４Ａ，２４Ｂが接続され、各キャラクタ発生用ＲＯＭ２４Ａ，２４Ｂの出力端にはそれぞれエンコーダ２６Ａ，２６Ｂが接続され、各キャラクタ発生用ＲＯＭ２４Ａ，２４Ｂから読み出されたキャラクタ情報がエンコードされて文字信号Ｌｅｔｔｅｒ２７Ａ，２７Ｂとなり、それぞれスーパインポーズ回路１５Ａ，１５Ｂに入力される。
【００３４】
また、スーパインポーズ回路１５Ａ，１５Ｂには文字用基準電圧発生回路２８からの文字用基準電圧が印加され、文字信号Ｌｅｔｔｅｒ２７Ａ，２７Ｂの有無によりこの文字用基準電圧が使用される。
【００３５】
また、スーパインポーズ回路１５Ａ，１５Ｂにはそれぞれバッファ１６Ａ，１６Ｂを介して映像信号１７Ａ，１７Ｂとなり、映像信号１７Ａ，１７Ｂはグループ化された複数の映像出力端、図２の具体例では映像信号１７Ａは単一の映像出力端４Ａから出力され、映像信号１７Ｂは２つの映像出力端４Ｂ，４Ｃから出力されるようになっている。
【００３６】
また、図２の具体例では映像出力端４Ａには観察モニタ５Ａが接続され、映像出力端４Ｂ，４Ｃにはそれぞれ写真撮影装置５Ｂとビデオプリンタ５Ｃが接続されている。
その他の構成は第１の実施の形態と同様の構成である。
【００３７】
次に本実施の形態の作用を説明する。
例えば、第１グルーブの映像出力端４Ａには観察モニタ５Ａ、第２グルーブの映像出力端４Ｂ、４Ｃには、写真撮影装置５Ｂ、ビデオプリンタ５Ｃといった接続にしておけば、第１グループの観察系と第２グループの記憶系とで異なった映像表示内容にできる。
【００３８】
第１の実施の形態では映像出力端個々に異なる映像信号が得られるのに対し、本実施の形態ではグループ毎に異なる映像信号が得られるという差異があるのみであり、その他は同様の作用となる。
【００３９】
なお、図２では第１グループに属する映像出力端は１つで、第２グループに属する映像出力端は２つの場合で示したが、勿論これに限定されるものでない。  なお、図２の構成において、プログラム的にスーパインポーズ回路１５Ａ，１５Ｂを、同じように制御して、グループ化することも可能である。
【００４０】
（第３の実施の形態）
次に図３を参照して本発明の第３の実施の形態を説明する。本実施の形態は第１の実施の形態において、映像出力端の前に映像スイッチを設けて各映像出力端から出力される映像信号を選択できるようにしたものである。
【００４１】
図３にその一部を示す第３の実施の形態の内視鏡映像処理装置２″は図１において、バッファ回路１６Ａ，１６Ｂ，１６Ｃの出力端に図３に示すように接点ａ，ｂ，ｃを設けた例えば４つの映像スイッチ５１Ａ，５１Ｂ，５１Ｃ，５１Ｄを設けている。
【００４２】
また、バス２５に接続され、ＣＰＵ２１により制御されるエンコーダ５２の出力で映像スイッチ５１Ａ，５１Ｂ，５１Ｃ，５１Ｄにおける共通接点と導通する接点を選択制御できるようにしている。
【００４３】
また、映像スイッチ５１Ａ，５１Ｂ，５１Ｃ，５１Ｄの共通接点に接続された映像出力端４Ａ，４Ｂ，４Ｃ，４Ｄには例えば観察モニタ５Ａ，写真撮影装置５Ｂ、ビデオプリンタ５Ｃ、デジタルファイリング装置５Ｄが接続されるようになっている。
【００４４】
その他の構成は図１と同様である。
【００４５】
次に図１及び図３を参照して本実施の形態の作用を説明する。
仮に図３に示すように、それぞれの映像スイッチ回路５１Ａ、５１Ｂ、５１Ｃ、５１Ｄにそれぞれ接続された映像出力端４Ａ、４Ｂ、４Ｃ、４Ｄに、観察モニタ５Ａ、写真撮影装置５Ｂ、ビデオプリンタ５Ｃ、デジタルファイリング装置５Ｄが接続されているとする。
【００４６】
また、表示選択入力部３０での入力操作により３つの文字信号Ｌｅｔｔｅｒ２７Ａ、２７Ｂ、２７Ｃをまず決定する。第１の実施の形態では、表示選択入力部３０での表示選択の入力操作により３つの文字信号Ｌｅｔｔｅｒ２７Ａ、２７Ｂ、２７Ｃを（映像出力端に接続される映像機器に応じて個別的に自由に）設定したが、本実施の形態ではできるだけ異なるように設定した方が選択の幅を広くできる。
【００４７】
ここでは、例えば映像信号１７Ａは患者情報を表示した映像信号、映像信号１７Ｂは患者情報における患者の名前のみを削除したもの、映像信号１７Ｃは患者情報を全く含まない内視鏡画像の映像信号成分のみのものとなるように３つの文字信号Ｌｅｔｔｅｒ２７Ａ、２７Ｂ、２７Ｃが決定されたとする。
【００４８】
そして、表示選択入力部３０から、表示選択の指示入力を行うと、ＣＰＵ２１はその指示に応じてエンコーダ５２を制御し、それぞれの映像スイッチ回路５１Ａ、５１Ｂ、５１Ｃ、５１Ｄを制御し、それぞれの映像機器に入力される映像信号を制御する。
【００４９】
図３の具体例では、観察モニタ５Ａ、デジタルファイリング装置５Ｄには、すべての情報を表示した映像信号を、写真撮影装置５Ｂには、患者の名前を削除した映像信号を、ビデオプリンタ５Ｃには、すべての情報を削除した映像信号（この場合には内視鏡映像信号のみ）を入力することとなる。
【００５０】
本実施の形態は第１の実施の形態と類似した効果を有する。第１の実施の形態と比較して、時間的に表示内容を変更する等の操作が簡単にできる。また、同じ映像出力端に接続したまま、その表示内容を接続を変えることなく、簡単に行うことができる。
なお、上述した各実施の形態等を部分的等で組み合わせて構成される実施の形態等も本発明に属する。
【００５１】
［付記］
１．撮像手段を備えた内視鏡を用いた検査に用いられる内視鏡映像処理装置において、
少なくとも２つの映像出力端子と、
撮像手段の出力信号から該撮像手段で撮像した内視鏡画像に対応する内視鏡映像信号を生成する映像信号処理手段と、
患者データ等の情報を入力する情報入力手段と、
前記映像出力端子に対し個別若しくはグループ毎に患者データ等の情報の表示の有無を選択する表示選択手段と、
前記患者データ等の情報を前記内視鏡映像信号に前記選択手段に従って選択的に重畳する重畳手段とを設け、
それぞれの映像信号を前記映像出力端に出力することを特徴とする内視鏡映像処理装置。
【００５２】
２．患者データ等の情報として、名前、検査日、性別、年齢、生年月日、コメント等のデータの任意の組み合わせで表示、非表示の選択を可能とすることを特徴とする付記１に記載の内視鏡映像処理装置。
（付記２の目的）内視鏡映像処理装置に接続された映像機器に表示すべき情報を詳細に設定することにより各映像機器に所望とする映像信号を供給することを目的とする。
（付記２の作用）情報の有り無しを接続されている映像機器毎に詳細に設定できる。
【００５３】
３．撮像手段を備えた内視鏡による検査に用いられる内視鏡映像処理装置において、
撮像手段の出力信号から該撮像手段で撮像した内視鏡画像に対応する内視鏡映像信号を生成する映像信号処理手段と、
患者データ等の情報を入力する情報入力手段と、
前記内視鏡映像信号に重畳する情報を選択する選択手段と、
前記選択手段により選択された少なくとも２種類の情報を前記内視鏡映像信号にそれぞれ重畳して第１及び第２の映像信号を生成する重畳手段と、
前記第１及び第２の映像信号をそれぞれ出力する第１及び第２の映像出力端と、
を具備したことを特徴とする内視鏡映像処理装置。
【００５４】
４．前記第１及び第２の映像出力端は第１及び第２のグループにそれぞれグループ分けされ、各グループに属する第１或いは第２の映像出力端はそれぞれ同じ第１或いは第２の映像信号を出力する付記３に記載の内視鏡映像処理装置。
５．さらに前記第１及び第２の映像信号から選択した映像信号を前記第１及び第２の映像出力端に導く第２の選択手段を有する付記３に記載の内視鏡映像処理装置。
【００５５】
【発明の効果】
以上説明したように本発明によれば、撮像手段を備えた内視鏡による検査に用いられる内視鏡映像処理装置において、
撮像手段の出力信号から該撮像手段で撮像した内視鏡画像に対応する内視鏡映像信号を生成する映像信号処理手段と、
患者データ等の情報を入力する情報入力手段と、
前記内視鏡映像信号に重畳する情報を選択する選択手段と、
前記選択手段により選択された情報を前記内視鏡映像信号にそれぞれ重畳して第１及び第２の映像信号を生成する重畳手段と、
前記第１及び第２の映像信号をそれぞれ出力する第１及び第２の映像出力端と、
を設けているので、第１及び第２の映像出力端に接続される映像機器に応じて選択手段で重畳する患者データ等の情報を選択することにより第１及び第２の映像出力端から出力される第１及び第２の映像信号に含まれる情報内容を変更でき、従って接続された複数の映像機器に応じてその映像機器に求められる映像表示に適した内視鏡画像と文字情報の重畳表示内容にできる。
【図面の簡単な説明】
【図１】本発明の第１の実施の形態の内視鏡映像処理装置を備えた内視鏡装置の構成を示すブロック図。
【図２】本発明の第２の実施の形態の内視鏡映像処理装置を備えた内視鏡装置の構成を示すブロック図。
【図３】本発明の第３の実施の形態の内視鏡映像処理装置における主要部の構成を示すブロック図。
【図４】従来例の内視鏡映像処理装置の構成を示すブロック図。
【符号の説明】
１…内視鏡装置
２…内視鏡映像処理装置
３…内視鏡
４Ａ，４Ｂ，４Ｃ…映像出力端
５Ａ…観察モニタ
５Ｂ…写真撮影装置
５Ｃ…ビデオプリンタ
６…挿入部
８…ＣＣＤ
１２…映像信号処理回路
１３…内視鏡映像信号
１４…バッファ回路
１５Ａ，１５Ｂ，１５Ｃ…スーパインポーズ回路
１７Ａ，１７Ｂ，１７Ｃ…映像信号
２１…ＣＰＵ
２４Ａ，２４Ｂ，２４Ｃ…キャラクタ発生用ＲＯＭ
２６Ａ，２６Ｂ，２６Ｃ…エンコーダ
２８…文字用基準電圧発生回路
２９…データ入力部
３０…表示選択入力部
【図１】
0003930147.tif 000002
【図２】
0003930147.tif 000003
【図３】
0003930147.tif 000004
【図４】
0003930147.tif 000005